(57)【要約】【課題】電波の受信環境にかかわらず、正確な絶対時刻を計時することができ、正確な絶対時刻とともに記憶される測定結果の信頼性を確保すること。【解決手段】基準時点（基準時刻）ＴＲ０から相対時刻ＴＲまでの時間の長さが、あらかじめ設定された所定閾値を超えている場合に電波の受信を喚起し、当該喚起に応じた所定の入力操作を受け付けた場合、標準電波を受信し、受信した時刻情報に基づいて絶対時刻を修正するとともに、修正した絶対時刻および相対時刻に基づいてＥＥＰＲＯＭが記憶する測定結果における絶対時刻を修正する電子血圧計を構成した。【選択図】図３
2015181849.tif 000002
【特許請求の範囲】
【請求項１】
時刻情報を含む電波を受信する時刻情報受信手段と、
前記時刻情報受信手段が受信した電波に含まれる時刻情報に基づいて絶対時刻を計時する絶対時刻計時手段と、
基準時点からの経過時間に基づく相対時刻を計時する相対時刻計時手段と、
所定の入力操作を受け付けた場合に血圧を測定する血圧測定手段と、
前記血圧測定手段による測定値を取得する取得手段と、
前記取得手段が取得した測定値と、当該測定値を取得した時点において前記絶対時刻計時手段が計時する絶対時刻および前記相対時刻計時手段が計時する相対時刻とを関連付けた測定結果を記憶する記憶手段と、
前記基準時点から前記相対時刻計時手段が計時する相対時刻までの経過時間の長さが、あらかじめ設定された所定閾値を超えているか否かを判断する判断手段と、
を備えたことを特徴とする電子血圧計。
【請求項２】
前記判断手段の判断結果に基づいて、前記経過時間の長さが前記所定閾値を超えている場合、前記時刻情報受信手段による電波の受信を喚起する受信喚起手段と、
前記受信喚起手段による喚起に応じた所定の入力操作を受け付けた場合、前記時刻情報受信手段により前記電波を受信し、受信した時刻情報に基づいて前記絶対時刻計時手段が計時する絶対時刻を修正するとともに、修正した絶対時刻および前記相対時刻計時手段が計時する相対時刻に基づいて前記記憶手段が記憶する測定結果における絶対時刻を修正する時刻修正手段と、
を備えたことを特徴とする請求項１に記載の電子血圧計。
【請求項３】
前記経過時間は、前記取得手段が前回測定値を取得してから今回測定値をするまでの間隔であることを特徴とする請求項１に記載の電子血圧計。
【請求項４】
前記相対時刻計時手段は、
前記時刻修正手段が絶対時刻を修正した場合、当該絶対時刻を修正した時点を新たな基準時点とし、当該新たな基準時点からの経過時間に基づいて相対時刻を計時することを特徴とする請求項２または３に記載の電子血圧計。
【請求項５】
前記時刻修正手段は、
前記記憶手段が記憶する絶対時刻のうち前回修正した絶対時刻より後に記憶された測定結果における絶対時刻を修正することを特徴とする請求項２〜４のいずれか一つに記載の電子血圧計。
【請求項６】
前記時刻修正手段は、
前記相対時刻計時手段が計時する相対時刻に基づいて、直近の測定結果における絶対時刻ほど修正量が大きくなるように当該絶対時刻を修正することを特徴とする請求項５に記載の電子血圧計。
【請求項７】
前記相対時刻計時手段は、
電源の供給が開始された以降継続して相対時刻を計時し、
前記時刻修正手段は、
前記記憶手段が記憶する測定結果における相対時刻の逆転が生じないように前記絶対時刻を修正することを特徴とする請求項２〜６のいずれか一つに記載の電子血圧計。
【請求項８】
前記時刻修正手段は、
前記受信喚起手段が電波の受信を喚起してから、当該喚起に応じた所定の入力操作を所定時間受け付けなかった場合、前記記憶手段が記憶する測定結果における絶対時刻の修正をおこなわないことを特徴とする請求項２〜６のいずれか一つに記載の電子血圧計。
【請求項９】
前記受信喚起手段は、
さらに、前記絶対時刻の修正をおこなうことなく前記測定結果を所定数記憶した場合、前記時刻情報受信手段による電波の受信を喚起することを特徴とする請求項２〜８のいずれか一つに記載の電子血圧計。
【請求項１０】
前記記憶手段が記憶した測定結果を表示する表示部を備え、
前記受信喚起手段は、
前記表示部において所定の情報を表示することにより前記電波の受信を喚起することを特徴とする請求項２〜９のいずれか一つに記載の電子血圧計。
【発明の詳細な説明】
【技術分野】
【０００１】
この発明は、血圧を測定する電子血圧計に関する。
【背景技術】
【０００２】
従来、使用者（被験者）の血圧を測定し、測定結果を記憶するようにした電子血圧計があった。このような電子血圧計においては、電子血圧計の内部において時刻を計時し、血圧を測定するごとに、当該測定にかかる血圧と当該測定の日時とを関連付けて記憶するようにしたものがあった。
【０００３】
電子血圧計の内部において計時する時刻が正しい時刻からずれていると、記憶される測定結果における日時についての信頼性が低下する。このため、従来、血圧計において、測定結果と測定日時とを対応付けて記憶し、測定結果が記憶されていない（血圧計が使用されていない）時間帯を時刻調整のタイミングに設定し、時計機能で計時される現在時刻が時刻調整のタイミングに該当する場合に、電波時計機能を用いて時刻信号を取得し、取得した時刻信号の日時が記憶されている最新の測定結果の測定日時よりも後の場合に、時計機能で計時される現在時刻を取得した時刻に調整するようにした技術があった（たとえば、下記特許文献１を参照。）。
【先行技術文献】
【特許文献】
【０００４】
【特許文献１】特許第５０９２７８１号公報
【発明の概要】
【発明が解決しようとする課題】
【０００５】
しかしながら、上述した従来の技術は、たとえば、使用者の操作によって、電子血圧計の内部において計時する時刻を正しい時刻に修正した場合、時刻を修正する前の測定結果と時刻を修正した後の測定結果との間で逆転が生じてしまうことがあり、測定結果に対する十分な信頼性を確保することが難しいという問題があった。具体的には、たとえば、電子血圧計の内部において計時する時刻が正しい時刻よりも遅れており、正しい時刻に修正した後に血圧を測定した場合、実際には先におこなった測定結果が、後におこなった測定結果として記憶されてしまうことがあり、測定結果に対する十分な信頼性を確保することが難しいという問題があった。
【０００６】
また、電子血圧計が設置され、使用される場所は大抵屋内であり、必ずしも電波の受信に適した環境に設置され使用されるとは限らない。上述した特許文献１などに記載された従来の技術による電子血圧計は、設置された場所が電波の受信に適している場合には正しい時刻に修正することができるが、設置された場所によっては時刻がずれたまま測定結果を記憶する。このため、測定結果に対する十分な信頼性を確保することが難しいという問題があった。また、上述した特許文献１に記載された技術を含む従来の技術は、電子血圧計の設置場所が電波の受信に適しているかどうかを使用者が管理しなくてはならず、煩わしいという問題があった。
【０００７】
使用者が、電子血圧計の内部において計時する時刻が正しい時刻からずれていることを認識するのは、表示部において血圧とともに表示される時刻を視認するとき、すなわち血圧の測定中や血圧の測定のために血圧計に近づいたときが多い。しかしながら、血圧の測定中や血圧の測定に先だって使用者を窓際まで移動させることは、当該使用者の血圧を上昇させ、正確な血圧を測定することができなくなるため好ましくない。一方で、血圧の測定中に電子血圧計が計時する時刻のずれに気づき、当該時刻のずれが心理的なストレスとなった場合、血圧が上昇してしまい、正確な血圧を測定することができなくなってしまう。
【０００８】
近年、スマートフォンなどと称される携帯型の端末装置を用いて使用者の活動量を記憶する技術があるが、スマートフォンなどの電波を発する電子機器は病院などの医療施設で使用することはできない。血圧の測定結果は、専門の医師などの体調診断に供されるため、スマートフォンなどの電波を発する電子機器に記憶して管理することは好ましくない。
【０００９】
この発明は、上述した従来技術による問題点を解消するため、電波の受信環境にかかわらず、正確な絶対時刻を計時することができ、正確な絶対時刻とともに記憶される測定結果の信頼性を確保することができる電子血圧計を提供することを目的とする。
【課題を解決するための手段】
【００１０】
上述した課題を解決し、目的を達成するため、この発明にかかる電子血圧計は、時刻情報を含む電波を受信する時刻情報受信手段と、前記時刻情報受信手段が受信した電波に含まれる時刻情報に基づいて絶対時刻を計時する絶対時刻計時手段と、基準時点からの経過時間に基づく相対時刻を計時する相対時刻計時手段と、所定の入力操作を受け付けた場合に血圧を測定する血圧測定手段と、前記血圧測定手段による測定値を取得する取得手段と、前記取得手段が取得した測定値と、当該測定値を取得した時点において前記絶対時刻計時手段が計時する絶対時刻および前記相対時刻計時手段が計時する相対時刻とを関連付けた測定結果を記憶する記憶手段と、前記基準時点から前記相対時刻計時手段が計時する相対時刻までの経過時間の長さが、あらかじめ設定された所定閾値を超えているか否かを判断する判断手段と、を備えたことを特徴とする。
【００１１】
また、この発明にかかる電子血圧計は、上記の発明において、前記判断手段の判断結果に基づいて、前記経過時間の長さが前記所定閾値を超えている場合、前記時刻情報受信手段による電波の受信を喚起する受信喚起手段と、前記受信喚起手段による喚起に応じた所定の入力操作を受け付けた場合、前記時刻情報受信手段により前記電波を受信し、受信した時刻情報に基づいて前記絶対時刻計時手段が計時する絶対時刻を修正するとともに、修正した絶対時刻および前記相対時刻計時手段が計時する相対時刻に基づいて前記記憶手段が記憶する測定結果における絶対時刻を修正する時刻修正手段と、を備えたことを特徴とする。
【００１２】
また、この発明にかかる電子血圧計は、上記の発明において、前記経過時間が、前記取得手段が前回測定値を取得してから今回測定値をするまでの間隔であることを特徴とする。
【００１３】
また、この発明にかかる電子血圧計は、上記の発明において、前記相対時刻計時手段が、前記時刻修正手段が絶対時刻を修正した場合、当該絶対時刻を修正した時点を新たな基準時点とし、当該新たな基準時点からの経過時間に基づいて相対時刻を計時することを特徴とする。
【００１４】
また、この発明にかかる電子血圧計は、上記の発明において、前記時刻修正手段が、前記記憶手段が記憶する絶対時刻のうち前回修正した絶対時刻より後に記憶された測定結果における絶対時刻を修正することを特徴とする。
【００１５】
また、この発明にかかる電子血圧計は、上記の発明において、前記時刻修正手段が、前記相対時刻計時手段が計時する相対時刻に基づいて、直近の測定結果における絶対時刻ほど修正量が大きくなるように当該絶対時刻を修正することを特徴とする。
【００１６】
また、この発明にかかる電子血圧計は、上記の発明において、前記相対時刻計時手段が、電源の供給が開始された以降継続して相対時刻を計時し、前記時刻修正手段が、前記記憶手段が記憶する測定結果における相対時刻の逆転が生じないように前記絶対時刻を修正することを特徴とする。
【００１７】
また、この発明にかかる電子血圧計は、上記の発明において、前記時刻修正手段が、前記受信喚起手段が電波の受信を喚起してから、当該喚起に応じた所定の入力操作を所定時間受け付けなかった場合、前記記憶手段が記憶する測定結果における絶対時刻の修正をおこなわないことを特徴とする。
【００１８】
また、この発明にかかる電子血圧計は、上記の発明において、前記受信喚起手段が、さらに、前記絶対時刻の修正をおこなうことなく前記測定結果を所定数記憶した場合、前記時刻情報受信手段による電波の受信を喚起することを特徴とする。
【００１９】
また、この発明にかかる電子血圧計は、上記の発明において、前記記憶手段が記憶した測定結果を表示する表示部を備え、前記受信喚起手段が前記表示部において所定の情報を表示することにより前記電波の受信を喚起することを特徴とする。
【発明の効果】
【００２０】
この発明にかかる電子血圧計によれば、電波の受信環境にかかわらず、正確な絶対時刻を計時することができ、正確な絶対時刻とともに記憶される測定結果の信頼性を確保することができるという効果を奏する。
【図面の簡単な説明】
【００２１】
【図１】この発明にかかる実施の形態の電子血圧計のハードウエア構成を示す説明図である。
【図２】この発明にかかる実施の形態の電子血圧計の機能的構成を示すブロック図である。
【図３】この発明にかかる実施の形態の電子血圧計の処理手順を示すフローチャートである。
【発明を実施するための形態】
【００２２】
以下に添付図面を参照して、この発明にかかる電子血圧計の好適な実施の形態を詳細に説明する。
【００２３】
（電子血圧計のハードウエア構成）
まず、この発明にかかる実施の形態の電子血圧計のハードウエア構成について説明する。図１は、この発明にかかる実施の形態の電子血圧計のハードウエア構成を示す説明図である。
【００２４】
図１において、この発明にかかる実施の形態の電子血圧計１００は、カフ１０１を備えている。カフ１０１は、阻血袋、カフ帯などを備えて構成されている。電子血圧計１００は、電池１０２、受信アンテナ１０３、ＪＪＹ受信部１０４、測定制御部１０５、血圧計内蔵ＣＰＵ１０６、結果表示部１０７、血圧測定ボタン１０８、時刻修正ボタン１０９が設けられた血圧計本体を備えている。血圧計本体における電池１０２、受信アンテナ１０３、ＪＪＹ受信部１０４、測定制御部１０５、血圧計内蔵ＣＰＵ１０６は、図示を省略する筐体内に収容されている。結果表示部１０７、血圧測定ボタン１０８、時刻修正ボタン１０９は、筐体の表面に設けられている。
【００２５】
カフ１０１と筐体とは、一体であってもよく、別体であってもよい。たとえば、手首式の電子血圧計１００は、カフ１０１と筐体とが一体とされている。また、たとえば、上腕式の電子血圧計１００は、カフ１０１と筐体とが別体とされる。カフ１０１と筐体とが別体である場合、カフ１０１と筐体とはエアホースなどを介して接続される。
【００２６】
電池１０２は、受信アンテナ１０３、ＪＪＹ受信部１０４、測定制御部１０５、血圧計内蔵ＣＰＵ１０６、結果表示部１０７など、電子血圧計１００の各構成部に対して電力を供給する。電池１０２は、たとえば、一次電池１０２や二次電池１０２などを用いることができる。電子血圧計１００は、交流電源からの交流電圧を充電用の直流電圧に変換する充電器を備えていてもよい。充電器は、公知の技術を用いて容易に実現可能であるため説明を省略する。
【００２７】
受信アンテナ１０３は、所定の送信局から送信される標準電波を受信する。標準電波は、標準時と周波数の国家標準または国際標準として政府や国際機関が放送している電波であって、たとえば、ＪＪＹなどの標準周波数報時局から送信され、タイムコードが重畳されている。タイムコードは、時間、日付、年、曜日、うるう秒、サマータイムなどの情報を含む。
【００２８】
ＪＪＹ受信部１０４は、受信アンテナ１０３により受信した標準電波を周波数変換し、デジタル信号を生成する。ＪＪＹ受信部１０４は、増幅器、フィルタ、Ａ／Ｄコンバータなどによって構成することができる（いずれも図示を省略する）。増幅器は、アンテナによって受信した信号を増幅する。フィルタは、増幅器が増幅した信号から所望の周波数（たとえば、４０ｋＨｚ、６０ｋＨｚ）以外を除去する。Ａ／Ｄコンバータは、所望の周波数以外を除去したアナログ値の信号を、デジタル値に変換する。
【００２９】
測定制御部１０５は、ポンプ、ポンプ駆動回路、エアバルブ、エアバルブ駆動回路、圧力センサ、Ａ／Ｄコンバータなどによって構成することができる（いずれも図示を省略する）。測定制御部１０５は、たとえば、血圧計内蔵ＣＰＵ１０６から出力された制御信号に基づいて、ポンプ駆動回路によりポンプを駆動制御する。ポンプ駆動回路は、ポンプを駆動制御することによって阻血袋に空気を送り込み、阻血袋を加圧する。ポンプ駆動回路は、阻血袋の圧力が所定の圧力となるように、阻血袋に圧縮気体を送り込む。
【００３０】
また、測定制御部１０５は、血圧計内蔵ＣＰＵ１０６から出力された制御信号に基づいて、血圧の測定にかかる各部を駆動制御する。測定制御部１０５は、たとえば、血圧計内蔵ＣＰＵ１０６から出力された制御信号に基づいて、エアバルブ駆動回路によりエアバルブを駆動制御し、エアバルブの開閉状態を制御する。エアバルブ駆動回路は、エアバルブを駆動制御することによって、阻血袋の圧力を維持するとともに、阻血袋の圧力の減圧をおこなう。エアバルブ駆動回路は、血圧の測定に際して、ポンプの動作によって高圧状態となった阻血袋の圧力の維持および減圧をおこなうとともに、測定終了後において阻血袋を大気圧に復帰させる。
【００３１】
圧力センサは、血圧値の測定時において変化する阻血袋の圧力を検出し、阻血袋の圧力検出信号を出力する。測定制御部１０５は、圧力センサから出力される阻血袋の圧力検出信号を増幅して、Ａ／Ｄコンバータに出力する増幅器を備えていてもよい。この場合、測定制御部１０５は、Ａ／Ｄコンバータにおいて増幅器から出力されたアナログ信号をデジタル化し、血圧計内蔵ＣＰＵ１０６に出力する。
【００３２】
血圧計内蔵ＣＰＵ１０６は、電子血圧計１００全体の制御をつかさどる。血圧計内蔵ＣＰＵ１０６は、ＣＰＵ１０６ａ、ＲＯＭ１０６ｂ、ＲＡＭ１０６ｃ、ＥＥＰＲＯＭ１０６ｄなどによって構成されるマイクロコンピュータによって実現することができる。血圧計内蔵ＣＰＵ１０６（ＣＰＵ１０６ａ）は、たとえば、時刻修正ボタン１０９が操作された場合に、受信アンテナ１０３により受信した標準電波に応じてＪＪＹ受信部１０４から出力される信号をデコードし、デコードした信号に基づいて電子血圧計１００における時刻（絶対時刻）を修正する（図２を参照）。
【００３３】
また、血圧計内蔵ＣＰＵ１０６は、たとえば、血圧測定ボタン１０８が操作された場合、ポンプ駆動回路やエアバルブ駆動回路に対して制御信号を出力し、ポンプなどを駆動制御することにより阻血袋内を加圧し、測定制御部１０５における圧力センサから出力される圧力検出信号に基づいて、血圧値の測定をおこなう（図２を参照）。血圧計内蔵ＣＰＵ１０６は、血圧測定ボタン１０８が所定時間以上継続して操作され続けた場合、血圧測定ボタン１０８の操作が停止されるまで阻血袋内を加圧し、血圧測定ボタン１０８の操作が停止した時点から血圧値の測定をおこなってもよい。
【００３４】
また、血圧計内蔵ＣＰＵ１０６（ＣＰＵ１０６ａ）は、第１の発振部１０６ｅと第２の発振部１０６ｆとを備えている。第１の発振部１０６ｅおよび第２の発振部１０６ｆは、それぞれ、水晶振動子や発振回路によって構成され、電源から電圧が印加されることにより、１秒に１回のパルス信号を出力する。血圧計内蔵ＣＰＵ１０６（ＣＰＵ１０６ａ）は、第１の発振部１０６ｅや第２の発振部１０６ｆから出力されたパルス信号をそれぞれカウントすることによって絶対時刻や相対時刻を計時する。
【００３５】
結果表示部１０７は、血圧計内蔵ＣＰＵ１０６によって駆動制御され、測定した血圧値（最高血圧値、最低血圧値）、脈拍、日付、時刻などを表示する。結果表示部１０７は、たとえば、ＬＣＤ（Ｌｉｑｕｉｄ  Ｃｒｙｓｔａｌ  Ｄｉｓｐｌａｙ）によって構成される表示画面と、当該表示画面の表示内容を制御する画像制御回路などによって実現することができる。結果表示部１０７は、ＬＣＤに代えて、有機ＥＬ（Ｅｌｅｃｔｒｏ  Ｌｕｍｉｎｅｓｃｅｎｃｅ）ディスプレイによって表示画面を実現してもよい。血圧測定ボタン１０８や時刻修正ボタン１０９は、利用者による操作を受け付けた場合に、血圧計内蔵ＣＰＵ１０６に対して操作信号を出力する。
【００３６】
電子血圧計１００は、アラーム音を発声させるブザー（図示を省略する）を備えていてもよい。ブザーは、たとえば、圧電素子と金属板を貼り合わせた振動板のたわみ振動を発音源とする圧電ブザーによって実現することができる。圧電ブザーなどのブザーについては、公知の技術を用いて容易に実現可能であるため説明を省略する。
【００３７】
（電子血圧計１００の機能的構成）
つぎに、この発明にかかる実施の形態の電子血圧計１００の機能的構成について説明する。図２は、この発明にかかる実施の形態の電子血圧計１００の機能的構成を示すブロック図である。図２において、この発明にかかる実施の形態の電子血圧計１００の機能は、操作部２０１、血圧測定部２０２、時刻情報受信部２０３、表示部２０４、絶対時刻計時部２０５、時刻修正部２０６、相対時刻計時部２０７、取得部２０８、記憶部２０９、判断部２１０、受信喚起部２１１によって実現される。
【００３８】
操作部２０１は、利用者による所定の入力操作を受け付け、受け付けた入力操作に応じた信号を出力する。操作部２０１の機能は、具体的には、血圧測定ボタン１０８や時刻修正ボタン１０９などによって実現することができる。操作部２０１は、たとえば、血圧測定ボタン１０８に対する入力操作を受け付けた場合、血圧測定部２０２に対して、血圧の測定開始を指示する信号を出力する。また、操作部２０１は、たとえば、時刻修正ボタン１０９に対する操作を受け付けた場合、時刻情報受信部２０３に対して、時刻情報を含む電波の受信開始を指示する信号を出力する。
【００３９】
血圧測定部２０２は、操作部２０１に対する所定の入力操作を受け付けた場合に、血圧を測定する。血圧測定部２０２の機能は、たとえば、カフ１０１、測定制御部１０５、結果表示部１０７、血圧計内蔵ＣＰＵ１０６などによって実現することができる。時刻情報受信部２０３は、時刻情報を含む電波を受信する。時刻情報受信部２０３は、たとえば、操作部２０１において所定の入力操作を受け付けた場合（時刻修正ボタン１０９に対する操作を受け付けた場合）、時刻情報を含む電波として、上記の標準電波を受信する。時刻情報受信部２０３の機能は、アンテナおよびＪＪＹ受信部１０４などによって実現することができる。
【００４０】
血圧測定部２０２において血圧の測定をおこなっている間に、操作部２０１に対する所定の入力操作（血圧測定ボタン１０８の操作）を受け付けた場合、上記の時刻情報受信部２０３は、電波の受信をおこなわない。
【００４１】
表示部２０４は、血圧測定部２０２が測定した血圧の測定値や記憶部２０９が記憶した測定結果を表示する。表示部２０４の機能は、ＬＣＤや有機ＥＬなどの表示画面を備えた結果表示部１０７によって実現することができる。
【００４２】
絶対時刻計時部２０５は、時刻情報受信部２０３が受信した電波に含まれる時刻情報に基づいて絶対時刻を計時する。絶対時刻は、標準電波に含まれるタイムコードに基づいて特定される時刻によって実現することができる。絶対時刻計時部２０５の機能は、血圧計内蔵ＣＰＵ１０６、より具体的には、血圧計内蔵ＣＰＵ１０６が備えるＣＰＵ１０６ａ、ＲＯＭ１０６ｂ、ＲＡＭ１０６ｃ、第１の発振部１０６ｅなどによって実現することができる。
【００４３】
時刻修正部２０６は、時刻情報受信部２０３により電波を受信した場合、受信した時刻情報に基づいて、絶対時刻計時部２０５が計時する絶対時刻を修正する。時刻修正部２０６の機能は、血圧計内蔵ＣＰＵ１０６、より具体的には、血圧計内蔵ＣＰＵ１０６が備えるＣＰＵ１０６ａ、ＲＯＭ１０６ｂ、ＲＡＭ１０６ｃなどによって実現することができる。時刻修正部２０６は、第１の発振部１０６ｅから出力されるパルス信号に基づいて血圧計内蔵ＣＰＵ１０６内部で計時される絶対時刻を、標準電波に含まれるタイムコードに基づいて特定される最新の絶対時刻に更新する。
【００４４】
相対時刻計時部２０７は、電子血圧計１００において電源の供給が開始された以降に設定された基準時点（基準時刻）に対する相対時刻を計時する。相対時刻計時部２０７の機能は、血圧計内蔵ＣＰＵ１０６、より具体的には、血圧計内蔵ＣＰＵ１０６が備えるＣＰＵ１０６ａ、ＲＯＭ１０６ｂ、ＲＡＭ１０６ｃ、第２の発振部１０６ｆなどによって実現することができる。
【００４５】
相対時刻は、第２の発振部１０６ｆから出力されるパルス信号に基づいて血圧計内蔵ＣＰＵ１０６内部で計時される相対的な時刻によって実現することができる。相対時刻は、基準時点からの経過時間に基づいて計時することができる。相対時刻は、たとえば、基準時点（基準時刻）をゼロ（０：００）として、当該基準時点（基準時刻）に対する相対的な時刻によって示すことができる。
【００４６】
たとえば、電源の供給が開始された時点を基準時点（基準時刻）とする場合、相対時刻計時部２０７は、電源の供給が開始されてからの経過時間に基づいて相対時刻を計時する。また、たとえば、時刻修正部２０６によって絶対時刻の修正がおこなわれた時点のうち直近の時点を基準時点（基準時刻）とする場合、相対時刻計時部２０７は、前回絶対時刻の修正をおこなってからの経過時間に基づいて相対時刻を計時する。時刻修正部２０６によって絶対時刻の修正がおこなわれた時点のうち直近の時点を基準時点（基準時刻）とする場合、基準時点（基準時刻）は、時刻修正部２０６によって絶対時刻の修正がおこなわれるごとに更新される。
【００４７】
取得部２０８は、血圧測定部２０２による測定値を取得する。取得部２０８は、血圧測定部２０２により測定した血圧値（最高血圧値、最低血圧値）、脈拍などの測定値を取得する。また、取得部２０８は、測定値を取得した時点において絶対時刻計時部２０５が計時する絶対時刻、および、測定値を取得した時点において相対時刻計時部２０７が計時する相対時刻を取得する。取得部２０８の機能は、血圧計内蔵ＣＰＵ１０６、より具体的には、血圧計内蔵ＣＰＵ１０６が備えるＣＰＵ１０６ａ、ＲＯＭ１０６ｂ、ＲＡＭ１０６ｃなどによって実現することができる。
【００４８】
記憶部２０９は、血圧測定部２０２による測定にかかる測定結果を記憶する。測定結果は、取得部２０８が取得した情報に基づいて構成され、血圧測定部２０２が測定した測定値、および、取得部２０８が測定値を取得した時点における絶対時刻および相対時刻を関連付けて構成される。記憶部２０９の機能は、たとえば、血圧計内蔵ＣＰＵ１０６、より具体的には、血圧計内蔵ＣＰＵ１０６が備えるＣＰＵ１０６ａ、ＥＥＰＲＯＭ１０６ｄなどによって実現することができる。
【００４９】
判断部２１０は、基準時点（基準時刻）から相対時刻計時部２０７が計時する相対時刻までの経過時間の長さ（以下「判断用時間」という）が、あらかじめ設定された所定閾値を超えているか否かを判断する。所定閾値は、たとえば、３０日分の秒数（６０秒×６０分×２４時間×３０日＝２５９２０００秒）とすることができる。この場合、判断部２１０は、基準時点（基準時刻）および相対時刻に基づいて、判断用時間が、３０日（２５９２０００秒）を超えたか否かを判断する。
【００５０】
時刻修正部２０６によって絶対時刻の修正がおこなわれるごとに基準時点（基準時刻）を更新する場合、判断部２１０は、前回絶対時刻を修正してから、すなわち基準時点（基準時刻）が更新されてから３０日（２５９２０００秒）を超えた時間が経過すると、時刻修正部２０６による絶対時刻の修正がおこなわれるまでの間、判断用時間が３０日（２５９２０００秒）を超えたと判断する。
【００５１】
判断部２１０は、取得部２０８が測定値を取得するごとに、当該測定値を取得した時点における判断用時間が、あらかじめ設定された所定閾値を超えているか否かを判断してもよい。あるいは、判断部２１０は、取得部２０８が測定値を取得した時点にかかわらず、常時、判断用時間を監視し、当該判断用時間の長さが所定閾値を超えているか否かを判断してもよい。判断部２１０の機能は、たとえば、血圧計内蔵ＣＰＵ１０６、より具体的には、血圧計内蔵ＣＰＵ１０６が備えるＣＰＵ１０６ａ、ＲＯＭ１０６ｂ、ＲＡＭ１０６ｃなどによって実現することができる。
【００５２】
受信喚起部２１１は、判断部２１０の判断結果に基づいて、判断用時間の長さが所定閾値を超えている場合、時刻情報受信部２０３による電波の受信を喚起する。取得部２０８が測定値を取得するごとに判断用時間が所定閾値を超えているか否かを判断する場合、受信喚起部２１１は、測定をおこなっているタイミングあるいは測定が終了した直後のタイミングで、電波の受信を喚起することができる。あるいは、判断部２１０が常時判断用時間を監視し、当該判断用時間が所定閾値を超えているか否かを判断する場合、受信喚起部２１１は、判断用時間が所定閾値を超えたタイミングで直ちに電波の受信を喚起することができる。
【００５３】
受信喚起部２１１は、たとえば、上記の表示部２０４において所定の情報を表示することによって電波の受信を喚起する。具体的には、表示部２０４を実現する結果表示部１０７において「窓際設置マーク」を表示することによって電波の受信を喚起する。この場合、受信喚起部２１１の機能は、たとえば、血圧計内蔵ＣＰＵ１０６や結果表示部１０７などによって実現することができる。
【００５４】
また、受信喚起部２１１は、さらに、絶対時刻の修正をおこなうことなく測定結果を所定数記憶した場合、時刻情報受信部２０３による電波の受信を喚起してもよい。この場合、具体的には、受信喚起部２１１は、たとえば、ＥＥＰＲＯＭ１０６ｄのデータ容量および当該ＥＥＰＲＯＭ１０６ｄに記憶した測定結果数に相当するデータ量に基づいて、当該データ量がＥＥＰＲＯＭ１０６ｄのデータ容量に達した場合、あるいは、当該データ容量に対して所定割合に達した場合に、時刻情報受信部２０３による電波の受信を喚起する。この場合、ＥＥＰＲＯＭ１０６ｄに測定結果を所定数記憶するまでの間に絶対時刻の修正をおこなえば、受信喚起部２１１は、ＥＥＰＲＯＭ１０６ｄのデータ量がＥＥＰＲＯＭ１０６ｄのデータ容量に達したとき、あるいは、当該データ容量に対して所定割合に達したときにも、電波の受信を喚起しない。
【００５５】
あるいは、ＥＥＰＲＯＭ１０６ｄに記憶したデータ量と判断用時間とに基づいて、「ＥＥＰＲＯＭ１０６ｄのデータ量がＥＥＰＲＯＭ１０６ｄのデータ容量に達したとき、あるいは、当該データ容量に対して所定割合に達したとき」あるいは「判断用時間が所定閾値に達した場合」のいずれか一方に該当する場合に、電波の受信を喚起するようにしてもよい。この場合、ＥＥＰＲＯＭ１０６ｄのデータ量のみ、あるいは、判断用時間のみに基づいて絶対時刻を修正するよりも、頻度高く絶対時刻の修正がおこなわれる。
【００５６】
電子血圧計１００がブザーを備えている場合、受信喚起部２１１は、たとえば、当該ブザーにより所定パターンのアラーム音を発声させることによって電波の受信を喚起してもよい。この場合、受信喚起部２１１の機能は、たとえば、血圧計内蔵ＣＰＵ１０６やブザーなどによって実現することができる。
【００５７】
時刻修正部２０６は、受信喚起部２１１による喚起に応じた所定の入力操作を受け付けた場合、時刻情報受信部２０３により電波を受信し、受信した時刻情報に基づいて絶対時刻計時部２０５が計時する絶対時刻を修正する。具体的には、時刻修正部２０６は、受信喚起部２１１による喚起中に、操作部２０１において所定の入力操作（時刻修正ボタン１０９に対する入力操作）を受け付けた場合に、時刻情報受信部２０３により電波を受信し、絶対時刻計時部２０５が計時する絶対時刻を、受信した時刻情報に基づいて特定される絶対時刻に更新することによって、絶対時刻を修正する。
【００５８】
また、時刻修正部２０６は、絶対時刻を修正するとともに、修正した絶対時刻および相対時刻計時部２０７が計時する相対時刻に基づいて、記憶部２０９が記憶する測定結果における絶対時刻を修正する。具体的には、時刻修正部２０６は、記憶部２０９が記憶する絶対時刻のうち前回修正した絶対時刻より後に記憶された測定結果における絶対時刻を修正する。また、具体的には、時刻修正部２０６は、相対時刻計時部２０７が計時する相対時刻に基づいて、直近の測定結果における絶対時刻ほど修正量が大きくなるように当該絶対時刻を修正する。
【００５９】
時刻修正部２０６は、記憶部２０９が記憶する測定結果における相対時刻の逆転が生じないように絶対時刻を修正する。具体的には、時刻修正部２０６は、たとえば、電源の供給が開始された以降継続して計時される相対時刻に基づいて、修正した絶対時刻に基づいて時系列に並び替えられる測定結果における相対時刻の逆転が生じないように、測定結果における絶対時刻を修正する。より具体的には、時刻修正部２０６は、たとえば、最新（直近）の測定結果から日時を遡った場合に、絶対時刻を修正すると逆転が生じてしまうまでの範囲内に該当する測定結果における絶対時刻のみを修正する。
【００６０】
時刻修正部２０６は、受信喚起部２１１が電波の受信を喚起してから、当該喚起に応じた所定の入力操作を所定時間受け付けなかった場合、記憶部２０９が記憶する測定結果における絶対時刻の修正をおこなわない。上記の受信喚起部２１１は、さらに、絶対時刻の修正をおこなうことなく測定結果を所定数記憶した場合、時刻情報受信部２０３による電波の受信を喚起するようにしてもよい。すなわち、記憶部２０９における記憶量に応じた喚起は、記憶部２０９の記憶容量が所定量に達するまでの間に絶対時刻の修正がおこなわれなかった場合にのみおこなわれる。
【００６１】
時刻修正部２０６が絶対時刻を修正した場合、上記の相対時刻計時部２０７は、絶対時刻を修正した時点を新たな基準時点とし、当該新たな基準時点に対する相対時刻を計時する。これにより、直前の、絶対時刻を修正するまでの間に累積した誤差が解消され、相対時刻および判断用時間をあらたに計時することができる。
【００６２】
電子血圧計１００において、血圧の測定をおこなっている間は、ポンプ（あるいはポンプを駆動するモータ）などが動作している。電波の受信と、ポンプ（あるいはポンプを駆動するモータ）などの動作とを並行しておこなうと、受信した電波にノイズが生じ、電波に基づいて特定される時刻の信頼性に劣る。
【００６３】
電子血圧計１００においては、上記のように、血圧測定部２０２において血圧の測定をおこなっている間に、操作部２０１に対する所定の入力操作（血圧測定ボタン１０８の操作）を受け付けた場合、上記の時刻情報受信部２０３は、電波の受信をおこなわない。このため、使用者などが誤って血圧測定ボタン１０８を操作した場合にも、時刻修正部２０６による絶対時刻の修正はおこなわれない。これにより、信頼性の低い情報に基づいて絶対時刻が修正されることを防止し、電子血圧計１００が計時する絶対時刻の信頼性を確保することができる。
【００６４】
（電子血圧計１００の処理手順）
つぎに、この発明にかかる実施の形態の電子血圧計１００の処理手順について説明する。図３は、この発明にかかる実施の形態の電子血圧計１００の処理手順を示すフローチャートである。図３のフローチャートは、電子血圧計１００に電池１０２が挿入された場合に開始される。図３のフローチャートにおいて、まず、電子血圧計１００に電池１０２が挿入されると、電子血圧計１００を起動する（ステップＳ３０１）。
【００６５】
つぎに、相対時刻計時部２０７が計時する相対時刻ＴＲの初期値を設定する（ステップＳ３０２）。ステップＳ３０２においては、相対時刻ＴＲを初期値０（ゼロ）に設定する（ＴＲ＝０）。そして、ステップＳ３０２において設定した初期値ＴＲ＝０に対する相対時刻ＴＲのカウントを開始する（ステップＳ３０３）。電子血圧計１００においては、１秒ごとにＴＲを１ずつカウントアップする。また、結果表示部１０７に「窓際設置マーク」を点灯し（ステップＳ３０４）、電波の受信を喚起する。
【００６６】
つぎに、ステップＳ３０４において結果表示部１０７に「窓際設置マーク」を点灯した状態で、時刻修正ボタン１０９が操作されたか否かを判断する（ステップＳ３０５）。ステップＳ３０５において、時刻修正ボタン１０９が操作された場合（ステップＳ３０５：Ｙｅｓ）、標準電波を受信して（ステップＳ３０６）、受信した標準電波に基づいて、時計時刻（絶対時刻）の設定をおこなう。時計時刻は、上記の絶対時刻であって、標準電波に基づいて設定される時刻を示す。
【００６７】
そして、ステップＳ３０６において受信した標準電波に基づき、時計時刻の設定が完了したか否かを判断する（ステップＳ３０７）。ステップＳ３０７において、時計時刻の設定が完了していない場合（ステップＳ３０７：Ｎｏ）、ステップＳ３０６へ戻り、標準電波の受信をおこなう。一方、ステップＳ３０７において、時計時刻の設定が完了した場合（ステップＳ３０７：Ｙｅｓ）、時計時刻の設定が完了した時点における相対時刻ＴＲをＴＲ０として記憶する（ステップＳ３０８）。
【００６８】
つぎに、血圧測定ボタン１０８が操作されるまで待機し（ステップＳ３０９：Ｎｏ）、血圧測定ボタン１０８が操作された場合（ステップＳ３０９：Ｙｅｓ）、血圧を測定する（ステップＳ３１０）。ステップＳ３１０においては、たとえば、上記のように、阻血袋を加圧し、圧力センサから出力される圧力検出信号に基づいて血圧を測定する。また、血圧を測定した後は、阻血袋の圧力の減圧をおこなう。
【００６９】
つぎに、ステップＳ３１０において血圧を測定した時点における時計時刻（絶対時刻）ＴＡｎと、相対時刻ＴＲｎと、を取得する（ステップＳ３１１）。そして、ステップＳ３１０における血圧の測定による測定結果と、ステップＳ３１１において取得した時計時刻（絶対時刻）ＴＡｎおよび相対時刻ＴＲｎと、を関連付けてＥＥＰＲＯＭ１０６ｄに記憶する（ステップＳ３１２）。
【００７０】
つぎに、相対時刻ＴＲｎと、ステップＳ３０８において記憶したＴＲ０との差分、すなわち、相対時刻ＴＲ０から相対時刻ＴＲｎまでの時間の長さ（以下「判定用時間」という）ΔＴＲが、所定閾値を超えているか否かを判断する（ステップＳ３１３）ことにより、時計時刻の信頼性を判定する。所定閾値は、上記のように、たとえば、３０日分の秒数（６０秒×６０分×２４時間×３０日＝２５９２０００秒）とすることができる。すなわち、ステップＳ３１３においては、判定用時間ΔＴＲが２５９２０００秒を超えているか否かを判断することにより、時計時刻の信頼性を判定する。
【００７１】
ステップＳ３１３において、判定用時間ΔＴＲが２５９２０００秒を超えていない場合（ステップＳ３１３：Ｎｏ）、ステップＳ３０９へ移行して、血圧測定ボタン１０８が操作されるまで待機する。
【００７２】
一方、ステップＳ３１３において、判定用時間ΔＴＲが２５９２０００秒を超えている場合（ステップＳ３１３：Ｙｅｓ）、結果表示部１０７に「窓際設置マーク」を点灯し（ステップＳ３１４）、電波の受信を喚起する。そして、ステップＳ３１４において結果表示部１０７に「窓際設置マーク」を点灯した状態で、時刻修正ボタン１０９が操作されたか否かを判断する（ステップＳ３１５）。ステップＳ３１５において、結果表示部１０７に「窓際設置マーク」を点灯している間に、時刻修正ボタン１０９が操作された場合（ステップＳ３１５：Ｙｅｓ）、標準電波を受信して（ステップＳ３１６）、受信した標準電波に基づいて、時計時刻（絶対時刻）の設定をおこなう。
【００７３】
そして、ステップＳ３１６において受信した標準電波に基づき、時計時刻の設定が完了したか否かを判断する（ステップＳ３１７）。ステップＳ３１７において、時計時刻の設定が完了していない場合（ステップＳ３１７：Ｎｏ）、ステップＳ３１６へ戻り、標準電波の受信をおこなう。一方、ステップＳ３１７において、時計時刻の設定が完了した場合（ステップＳ３１７：Ｙｅｓ）、ステップＳ３１７：Ｙｅｓにおいて時計時刻の設定が完了した時点における時計時刻（絶対時刻）ＴＡ０と、ステップＳ３１７：Ｙｅｓにおいて時計時刻の設定が完了した時点における相対時刻ＴＲをＴＲ０として記憶する（ステップＳ３１８）。
【００７４】
その後、ステップＳ３１８において記憶した時計時刻ＴＡ０に基づいて、ＥＥＰＲＯＭ１０６ｄに既に記憶されている測定結果における絶対時刻を修正し（ステップＳ３１９）、ステップＳ３０９へ移行する。ステップＳ３１９においては、まず、メモリ時刻修正値ＴＸを算出する。メモリ時刻修正値ＴＸは、相対時刻ＴＲ０から相対時刻ＴＲｎを差し引いた値によって示される。そして、既に記憶されている測定結果における時計時刻（絶対時刻）ＴＡｎから、メモリ時刻修正値ＴＸを差し引くことにより、修正後の測定結果におけるあらたな時計時刻（絶対時刻）ＴＡｎを算出する。その後、既に記憶されている測定結果における時計時刻（絶対時刻）ＴＡｎを、算出したあらたな時計時刻（絶対時刻）ＴＡｎに更新することにより既に記憶されている測定結果における絶対時刻を修正する。
【００７５】
また、ステップＳ３１９においては、ＥＥＰＲＯＭ１０６ｄが記憶する絶対時刻のうち前回修正した絶対時刻より後に記憶された測定結果における絶対時刻を修正する。また、ステップＳ３１９においては、電源の供給が開始された以降継続して計時される相対時刻に基づいて、ＥＥＰＲＯＭ１０６ｄが記憶する測定結果における相対時刻の逆転が生じないように絶対時刻を修正する。
【００７６】
また、ステップＳ３１９においては、計時する相対時刻に基づいて、直近の測定結果における絶対時刻ほど修正量が大きくなるように当該絶対時刻を修正するようにしてもよい。
【００７７】
一方、ステップＳ３１５において、結果表示部１０７に「窓際設置マーク」を点灯している間に、時刻修正ボタン１０９が操作されなかった場合（ステップＳ３１５：Ｎｏ）、結果表示部１０７に「窓際設置マーク」を点灯してから所定時間が経過するまで待機する（ステップＳ３２０）。そして、ステップＳ３２０において、結果表示部１０７に「窓際設置マーク」を所定時間点灯している間に、時刻修正ボタン１０９が操作されなかった場合（ステップＳ３２０：Ｎｏ）、ステップＳ３１５へ移行する。一方、結果表示部１０７に「窓際設置マーク」を点灯してから所定時間が経過するまでに、時刻修正ボタン１０９が操作された場合（ステップＳ３２０：Ｙｅｓ）、ステップＳ３０９へ移行する。
【００７８】
ステップＳ３０５において、結果表示部１０７に「窓際設置マーク」を点灯している間に、時刻修正ボタン１０９が操作されなかった場合（ステップＳ３０５：Ｎｏ）、結果表示部１０７に「窓際設置マーク」を点灯してから所定時間が経過するまで待機する（ステップＳ３２１）。そして、ステップＳ３２１において、結果表示部１０７に「窓際設置マーク」を所定時間点灯している間に、時刻修正ボタン１０９が操作されなかった場合（ステップＳ３２１：Ｎｏ）、ステップＳ３０５へ移行する。一方、結果表示部１０７に「窓際設置マーク」を点灯してから所定時間が経過するまでに、時刻修正ボタン１０９が操作された場合（ステップＳ３２１：Ｙｅｓ）、ステップＳ３０９へ移行する。
【００７９】
以上説明したように、この発明にかかる実施の形態の電子血圧計１００は、基準時点（基準時刻）ＴＲ０から相対時刻ＴＲまでの時間の長さが、あらかじめ設定された所定閾値を超えている場合に電波の受信を喚起する。そして、当該喚起に応じた所定の入力操作を受け付けた場合、標準電波を受信し、受信した時刻情報に基づいて絶対時刻を修正するとともに、修正した絶対時刻および相対時刻に基づいてＥＥＰＲＯＭ１０６ｄが記憶する測定結果における絶対時刻を修正するようにしたことを特徴としている。
【００８０】
この発明にかかる実施の形態の電子血圧計１００によれば、基準時点からの相対時刻の長さが所定閾値を超えている場合は、電波の受信を喚起することにより、電波の受信環境に劣る屋内で使用される電子血圧計１００であっても、正確な絶対時刻を計時することができ、正確な絶対時刻とともに記憶される測定結果の信頼性を確保することができる。
【００８１】
また、この発明にかかる実施の形態の電子血圧計１００によれば、電波の受信の喚起に応じて絶対時刻の修正をおこなうとともに、過去の測定結果に関連付けられた絶対時刻を修正することにより、絶対時刻の修正後の測定結果のみならず、過去の測定結果の信頼性を確保することができる。
【００８２】
このように、この発明にかかる実施の形態の電子血圧計１００によれば、利用者に対して格別意識させることなく、電子血圧計１００において正確な絶対時刻を計時し、正確な測定結果を提示することができる。
【００８３】
また、この発明にかかる実施の形態の電子血圧計１００は、血圧の測定にかかる測定値を取得した時点における、基準時点（基準時刻）ＴＲ０から相対時刻ＴＲまでの時間の長さが、前回測定値を取得してから今回測定値をするまでの間隔であることを特徴としている。
【００８４】
この発明にかかる実施の形態の電子血圧計１００によれば、血圧を測定するごとに、基準時点（基準時刻）ＴＲ０から相対時刻ＴＲまでの長さが所定閾値を超えているか否かを判断し、適宜電波の受信を喚起することができる。これにより、使用者が電子血圧計１００に対して確実に注意を払うタイミングにおいて、電波の受信を喚起することができる。
【００８５】
そして、これにより、電波の受信環境に劣る屋内で使用される電子血圧計１００であっても、正確な絶対時刻を計時することができ、正確な絶対時刻とともに記憶される測定結果の信頼性を確保することができる。
【００８６】
また、この発明にかかる実施の形態の電子血圧計１００は、絶対時刻を修正した場合、当該絶対時刻を修正した時点を新たな基準時点（基準時刻）ＴＲ０とし、当該新たな基準時点（基準時刻）ＴＲ０に対する相対時刻を計時することを特徴としている。
【００８７】
この発明にかかる実施の形態の電子血圧計１００によれば、絶対時刻を修正するごとに基準時点を更新することにより、相対時刻と基準時点との差分が累積することを防止することができ、適切な頻度で電波の受信を喚起することができる。これにより、利用者に対して、過剰に電波の受信を喚起することによる煩わしさを感じさせることなく、正確な絶対時刻を計時することができ、正確な絶対時刻とともに記憶される測定結果の信頼性を確保することができる。
【００８８】
また、この発明にかかる実施の形態の電子血圧計１００によれば、電波の受信の喚起に応じた所定の入力操作がおこなわれなかった場合、すなわち、前回絶対時刻を修正してから所定の時間が経過しているにもかかわらず絶対時刻の修正をおこなわない場合、基準時点が更新されないため、次回の血圧の測定に際しても、絶対時刻の修正をおこなうまで電波の受信の喚起をおこなうことができる。これにより、絶対時刻の修正がおこなわれないまま血圧を測定することを抑制し、正確な測定結果を提示することができる。
【００８９】
また、この発明にかかる実施の形態の電子血圧計１００は、ＥＥＰＲＯＭ１０６ｄが記憶する絶対時刻のうち前回修正した絶対時刻より後に記憶された測定結果における絶対時刻を修正することを特徴としている。
【００９０】
この発明にかかる実施の形態の電子血圧計１００によれば、前回修正した絶対時刻より後に記憶された測定結果における絶対時刻のみを修正することにより、前回修正した絶対時刻を今回さらに修正することに起因して測定結果における絶対時刻の時系列上の順序が逆転することを防止できる。これにより、利用者に対して格別意識させることなく、電子血圧計１００において正確な絶対時刻を計時し、正確な測定結果を提示することができる。
【００９１】
また、この発明にかかる実施の形態の電子血圧計１００においては、計時する相対時刻に基づいて、直近の測定結果における絶対時刻ほど修正量が大きくなるように当該絶対時刻を修正するようにしてもよい。このような電子血圧計１００によれば、絶対時刻を修正した直後（基準時点に直近する相対時刻）よりも、絶対時刻を修正してから時間が経過した方が、電子血圧計１００が計時する絶対時刻の、正確な絶対時刻に対するズレ（誤差）量が大きくなるであろうことを考慮して、絶対時刻を修正することができる。これにより、利用者に対して格別意識させることなく、電子血圧計１００において正確な絶対時刻を計時し、正確な測定結果を提示することができる。
【００９２】
また、この発明にかかる実施の形態の電子血圧計１００は、電源の供給が開始された以降継続して相対時刻を計時し、ＥＥＰＲＯＭ１０６ｄが記憶する測定結果における相対時刻の逆転が生じないように絶対時刻を修正することを特徴としている。
【００９３】
この発明にかかる実施の形態の電子血圧計１００によれば、電源の供給が開始された以降継続して計時される相対時刻の逆転が生じないように、測定結果における絶対時刻を修正することにより、利用者に対して格別意識させることなく、正確な測定結果を提示することができる。
【００９４】
また、この発明にかかる実施の形態の電子血圧計１００は、電波の受信を喚起してから、当該喚起に応じた所定の入力操作を所定時間受け付けなかった場合、ＥＥＰＲＯＭ１０６ｄが記憶する測定結果における絶対時刻の修正をおこなわないことを特徴としている。
【００９５】
この発明にかかる実施の形態の電子血圧計１００によれば、電波の受信を喚起した後所定時間内に当該喚起に応じた所定の入力操作がおこなわれなかった場合は、絶対時刻の修正をおこなわないことにより、利用者に対して、絶対時刻の修正をおこなうまでの間継続して電波の受信を喚起することによる煩わしさを感じさせることを抑制できる。
【００９６】
また、この発明にかかる実施の形態の電子血圧計１００においては、さらに、絶対時刻の修正をおこなうことなく測定結果を所定数記憶した場合、電波の受信を喚起するようにしてもよい。このような電子血圧計１００によれば、絶対時刻の修正をおこなわないまま測定結果を所定数記憶した場合に電波の受信を喚起することにより、記憶部２０９の記憶容量の制限により、新たな測定結果を記憶するために既に記憶している測定結果の中から古い測定結果を消去する状況において、当該古い測定結果を消去する前に、絶対時刻の修正を促すことができる。これにより、たとえば、血圧値や測定日時などの測定結果をノートに書き写して管理している利用者に対して、書き写す前に測定結果が消去される事態を回避させるとともに、正確な測定結果を提示することができる。
【００９７】
また、この発明にかかる実施の形態の電子血圧計１００は、測定結果を表示する表示部２０４において所定の情報を表示することにより前記電波の受信を喚起することを特徴としている。
【００９８】
この発明にかかる実施の形態の電子血圧計１００によれば、利用者に対して、絶対時刻の修正が必要であることを明確かつ確実に案内することができる。
【産業上の利用可能性】
【００９９】
以上のように、この発明にかかる電子血圧計は、血圧の測定結果を測定日時とともに案内する電子血圧計に有用であり、特に、複数回分の測定結果を累積して記憶する電子血圧計に適している。
【符号の説明】
【０１００】
１００  電子血圧計
１０６  血圧計内蔵ＣＰＵ
１０６ａ  ＣＰＵ
１０６ｂ  ＲＯＭ
１０６ｃ  ＲＡＭ
１０６ｄ  ＥＥＰＲＯＭ
２０１  操作部
２０２  血圧測定部
２０３  時刻情報受信部
２０４  表示部
２０５  絶対時刻計時部
２０６  時刻修正部
２０７  相対時刻計時部
２０８  取得部
２０９  記憶部
２１０  判断部
２１１  受信喚起部
【図１】
2015181849.tif 000003
【図２】
2015181849.tif 000004
【図３】
2015181849.tif 000005